(57)【要約】【課題】シャツ等には何ら特別な取り付け用の手段を設ける必要がなく、またシャツ等に目立つ穴や傷をつけることなく、通常のシャツ等に対して容易に取り付けおよび取り外し可能であって、十分な裾部ずり上がり防止効果を有しており、しかもシャツ等に取り付けられている状態が見えても見苦しくない、実用性に優れたシャツ等の裾部ずり上がり防止用具を提供する。【解決手段】平板状等ほぼ扁平で外側に過度に突出しない形状の本体と、該本体を通常のシャツ等１の裾部近傍の部分１１に目立つ穴や傷を残さずに着脱自在に取り付けて不用意に脱落しない様に固定できる取り付け手段とを少なくとも備えており、かつ全体として、シャツ等１の裾部がずり上がって下衣のウエスト部からはみ出したりするのを防止できる自重を備えているシャツ等の裾部ずり上がり防止用具２である。【選択図】図１
2008115484.tif 000002
【特許請求の範囲】
【請求項１】
ほぼ扁平な形状に形成された本体と、該本体をシャツ等の裾部近傍の部分に着脱自在に取り付け可能な取り付け手段とを少なくとも具備してなることを特徴とするシャツ等の裾部ずり上がり防止用具。
【請求項２】
前記本体および前記取り付け手段を含む全体の自重が５０ｇ以上２００ｇ以下であることを特徴とする請求項１に記載のシャツ等の裾部ずり上がり防止用具。
【請求項３】
前記取り付け手段は、シャツ等の裾部近傍の部分の外側の面にその内側の面の少なくとも一部をあてがうことができる様に形成された外側部と、該外側部の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された内側部とを少なくとも備える様に形成され、かつ、該外側部と内側部とが、該外側部の内側の面と内側部の外側の面との間隙に挟持したシャツ等の裾部近傍の部分をその厚み方向に圧縮する様な方向に、その外側部の内側の面とその内側部の外側の面とが互いに向かい合う方向に付勢された弾性体からなる挟持手段であることを特徴とする請求項１または請求項２に記載のシャツ等の裾部ずり上がり防止用具。
【請求項４】
前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成され、かつ、前記第１の部材の内側の面と自身の外側の面との間隙に挟持したシャツ等の裾部近傍の部分をその厚み方向に圧縮する様な方向に、その外側の面が前記第１の部材の内側の面に向かう方向に付勢された弾性体からなる第２の部材とからなる挟持手段であることを特徴とする請求項１または請求項２に記載のシャツ等の裾部ずり上がり防止用具。
【請求項５】
前記取り付け手段は、シャツ等の裾部近傍の部分の内側の面にその外側の面の少なくとも一部をあてがうことができる様に形成された第２の部材と、該第２の部材の外側の面と自身の内側の面との間隙にシャツ等の裾部近傍の部分を挟持することができる様に、シャツ等の裾部近傍の部分の外側の面にその内側の面の少なくとも一部をあてがうことができる様に形成され、かつ、前記第２の部材の外側の面と自身の内側の面との間隙に挟持したシャツ等の裾部近傍の部分をその厚み方向に圧縮する様な方向に、その内側の面が前記第２の部材の外側の面に向かう方向に付勢された弾性体からなる第１の部材とからなる挟持手段であることを特徴とする請求項１または請求項２に記載のシャツ等の裾部ずり上がり防止用具。
【請求項６】
前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された第２の部材と、該第１の部材と該第２の部材とを、該第１の部材の内側の面と該第２の部材の外側の面との間隙に挟持したシャツ等の裾部近傍の部分をその厚み方向に圧縮する様な方向に、該第１の部材の内側の面と該第２の部材の外側の面とが互いに向かい合う方向に付勢する弾性手段とからなる挟持手段であることを特徴とする請求項１または請求項２に記載のシャツ等の裾部ずり上がり防止用具。
【請求項７】
前記本体は、その内側の面の少なくとも一部をシャツ等の裾部近傍の部分の外側の面にあてがうことができる様に形成されており、一方、前記取り付け手段は、該本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成され、かつ、前記本体の内側の面と自身の外側の面との間隙に挟持したシャツ等の裾部近傍の部分をその厚み方向に圧縮する様な方向に、その外側の面が前記本体の内側の面に向かう方向に付勢された弾性体からなる挟持手段であることを特徴とする請求項１または請求項２に記載のシャツ等の裾部ずり上がり防止用具。
【請求項８】
前記本体は、その内側の面の少なくとも一部をシャツ等の裾部近傍の部分の外側の面にあてがうことができる様に形成されており、一方、前記取り付け手段は、該本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された挟持部材と、該本体と該挟持部材とを、該本体の内側の面と該挟持部材の外側の面との間隙に挟持したシャツ等の裾部近傍の部分をその厚み方向に圧縮する様な方向に、該本体の内側の面と該挟持部材の外側の面とが互いに向かい合う方向に付勢する弾性手段とからなる挟持手段であることを特徴とする請求項１または請求項２に記載のシャツ等の裾部ずり上がり防止用具。
【請求項９】
前記本体は、その内側の面の少なくとも一部をシャツ等の裾部近傍の部分の外側の面にあてがうことができる様に形成された表部を備えており、一方、前記取り付け手段は、該本体の表部の内側の面と自身の外側の面との間隙にシャツ等の裾部近傍の部分を挟持することができる様に、シャツ等の裾部近傍の部分の内側にその外側の面の少なくとも一部をあてがうことができる様に形成された挟持部材と、前記本体の表部と一体に形成された、該本体の表部と該挟持部材とを、該本体の表部の内側の面と該挟持部材の外側の面との間隙に挟持したシャツ等の裾部近傍の部分をその厚み方向に圧縮する様な方向に、該本体の表部の内側の面と該挟持部材の外側の面とが互いに向かい合う方向に付勢する本体の弾性結合部とからなる挟持手段であることを特徴とする請求項１または請求項２に記載のシャツ等の裾部ずり上がり防止用具。
【請求項１０】
前記本体は、その内側の面の少なくとも一部をシャツ等の裾部近傍の部分の外側の面にあてがうことができる様に形成された表部を備えており、一方、前記取り付け手段は、共に該本体の表部と一体に形成された、該本体の表部の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された本体の裏部と、該本体の表部と該本体の裏部とを、該本体の表部の内側の面と該本体の裏部の外側の面との間隙に挟持したシャツ等の裾部近傍の部分をその厚み方向に圧縮する様な方向に、該本体の表部の内側の面と該本体の裏部の外側の面とが互いに向かい合う方向に付勢する本体の弾性結合部とからなる挟持手段であることを特徴とする請求項１または請求項２に記載のシャツ等の裾部ずり上がり防止用具。
【請求項１１】
前記取り付け手段は、シャツ等の裾部近傍の部分に挿通可能な針と、該針の先端部近傍を挿脱自在に繋止可能な針先繋止手段とからなることを特徴とする請求項１または請求項２に記載のシャツ等の裾部ずり上がり防止用具。
【請求項１２】
前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された第２の部材とからなっており、かつ、該第１の部材と該第２の部材とは、該第１の部材の内側の面と該第２の部材の外側の面との間隙に挟持したシャツ等の裾部近傍の部分をその厚み方向に圧縮する様に、該第１の部材の内側の面と該第２の部材の外側の面とが互いに向かい合う方向に磁力によって吸着することができる様に、互いに吸着可能な永久磁石の対から形成されていることを特徴とする請求項１または請求項２に記載のシャツ等の裾部ずり上がり防止用具。
【請求項１３】
前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された第２の部材とからなっており、かつ、該第１の部材は永久磁石から形成されているとともに、該第２の部材は、該第１の部材の内側の面と該第２の部材の外側の面との間隙に挟持したシャツ等の裾部近傍の部分をその厚み方向に圧縮する様に、該第１の部材の内側の面と該第２の部材の外側の面とが互いに向かい合う方向に磁力によって吸着することができる様に、該第１の部材を形成する永久磁石の磁力によって容易に磁化されて吸着されることのできる永久磁石以外の磁性体から形成されていることを特徴とする請求項１または請求項２に記載のシャツ等の裾部ずり上がり防止用具。
【請求項１４】
前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された第２の部材とからなっており、かつ、該第２の部材は永久磁石から形成されているとともに、該第１の部材は、該第１の部材の内側の面と該第２の部材の外側の面との間隙に挟持したシャツ等の裾部近傍の部分をその厚み方向に圧縮する様に、該第１の部材の内側の面と該第２の部材の外側の面とが互いに向かい合う方向に磁力によって吸着することができる様に、該第２の部材を形成する永久磁石の磁力によって容易に磁化されて吸着されることのできる永久磁石以外の磁性体から形成されていることを特徴とする請求項１または請求項２に記載のシャツ等の裾部ずり上がり防止用具。
【請求項１５】
前記本体は、その内側の面の少なくとも一部をシャツ等の裾部近傍の部分の外側の面にあてがうことができる様に形成されているとともに、その全部または一部が永久磁石から形成されており、一方、前記取り付け手段は、前記本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成されており、かつ、前記本体の内側の面と自身の外側の面との間隙に挟持したシャツ等の裾部近傍の部分をその厚み方向に圧縮する様に、前記本体の内側の面と自身の外側の面とが互いに向かい合う方向に磁力によって吸着することができる様に、前記本体の全部または一部を形成している永久磁石と磁力により吸着可能な永久磁石から形成されている保持部材からなることを特徴とする請求項１または請求項２に記載のシャツ等の裾部ずり上がり防止用具。
【請求項１６】
前記本体は、その内側の面の少なくとも一部をシャツ等の裾部近傍の部分の外側の面にあてがうことができる様に形成されているとともに、その全部または一部が永久磁石から形成されており、一方、前記取り付け手段は、前記本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成されており、かつ、前記本体の内側の面と自身の外側の面との間隙に挟持したシャツ等の裾部近傍の部分をその厚み方向に圧縮する様に、前記本体の内側の面と自身の外側の面とが互いに向かい合う方向に磁力によって吸着することができる様に、前記本体の全部または一部を形成している永久磁石の磁力により容易に磁化されて吸着されることのできる永久磁石以外の磁性体から形成されている保持部材からなることを特徴とする請求項１または請求項２に記載のシャツ等の裾部ずり上がり防止用具。
【請求項１７】
前記本体は、その内側の面の少なくとも一部をシャツ等の裾部近傍の部分の外側の面にあてがうことができる様に形成されているとともに、その全部または一部が永久磁石の磁力により容易に磁化されて吸着されることのできる永久磁石以外の磁性体から形成されており、一方、前記取り付け手段は、前記本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成されており、かつ、前記本体の内側の面と自身の外側の面との間隙に挟持したシャツ等の裾部近傍の部分をその厚み方向に圧縮する様に、前記本体の内側の面と自身の外側の面とが互いに向かい合う方向に磁力によって吸着することができる様に、前記本体の全部または一部を形成している永久磁石以外の磁性体を自身の磁力により磁化して吸着することのできる永久磁石から形成されている保持部材からなることを特徴とする請求項１または請求項２に記載のシャツ等の裾部ずり上がり防止用具。
【請求項１８】
前記取り付け手段は、前記本体に対しては通常の使用の態様においては剥離することのない様に十分に強固に接着しており、かつ、シャツ等の裾部近傍の部分を構成する布地等に対しては、繰り返し貼着させたり剥離させたりすることができる程度の穏やかな接着力を有する感圧性接着剤からなることを特徴とする請求項１または請求項２に記載のシャツ等の裾部ずり上がり防止用具。
【請求項１９】
前記取り付け手段は、シャツ等の裾部近傍の部分を構成する布地等の繊維素材に対して繰り返し貼着させたり剥離させたりすることのできる、繊維素材に対して着脱自在に一時的な繋合を形成し得る微細な鉤状体が多数面内に形成された面ファスナーからなることを特徴とする請求項１または請求項２に記載のシャツ等の裾部ずり上がり防止用具。
【請求項２０】
前記本体の、前記取り付け手段によってシャツ等の裾部近傍の部分に取り付けた際に外側に現れる面に、塗装、金箔貼り、銀箔貼り、光沢フィルム貼り、金メッキ、銀メッキ、銅メッキ、ニッケルメッキおよびクロームメッキから選ばれる１種以上の表面加工および／またはシルク印刷、オフセット印刷、パッド印刷、インクジェット印刷、転写、箔押し、印刷シール貼り、装飾フィルム貼り、色さし、七宝、螺鈿、寄木、レーザー彫金、彫刻、刻印および象嵌から選ばれる１種以上の表面装飾加工が施されていることを特徴とする請求項１から請求項１９までのいずれか１項に記載のシャツ等の裾部ずり上がり防止用具。
【発明の詳細な説明】
【技術分野】
【０００１】
本発明は、例えばワイシャツやＴシャツ、ブラウス等の様に、その裾部をズボンやスカート等の下衣のウエスト部の内側に入れて着用する習慣があるシャツ等の場合に、その裾部が体の動きによってずり上がって下衣のウエスト部からはみ出してだぶついて見苦しくなるのを防止するために、あるいは、例えばＴシャツ等の様に、その裾部をズボンやスカート等の下衣のウエスト部の外側に出したままで着用する習慣があるシャツ等の場合に、その裾部が風にあおられてめくれたりまたは体の動きによってずり上がってはだけて、下衣のウエスト部よりも上側の素肌や肌着が見えてしまって見苦しくなるのを防止するために、シャツ等のずり上がり防止の目的でシャツ等の裾部近傍の部分に着脱自在に取り付けて使用するための、シャツ等の裾部ずり上がり防止用具に関するものである。
【背景技術】
【０００２】
従来のシャツ等の裾部のずり上がり防止のための技術的手段としては、例えば以下に掲げる各文献に記載されている様に、古くから数多くの提案がなされている。具体的には、例えば、シャツ等の裾部をボタンや紐、クリップ、面ファスナー等の連結手段によって下衣または下肌着と連結するものや、シャツ等の前後の裾部の間を股下を通した布や紐等によって連結するもの、シャツ等を下肌着と一体化したもの、シャツ等の裾部に突起物やゴム等の滑り止め手段を設けて下衣との間の摩擦力等を利用してずり上がりを防止するもの、シャツ等のウエスト部よりやや下の部分をゴムや紐、ベルト、ボタン等によって絞る様にして身体に締め付けるもの、シャツ等のウエスト部近傍部分を伸縮性の布地またはゴム糸等を織り込んだ布地によって形成して身体に締め付ける様にしたもの等の提案がなされている。しかし、これらはいずれも、連結手段等をあらかじめ備えた特殊なシャツ等を必要とするものであったり、シャツ等を着たり脱いだりするたびに連結手段等を着けたり外したりする煩雑な手間が掛かるものであったり、万一効果が十分でなかったために結果的にずり上がってしまった場合に滑り止め手段や締め付け手段等が見えて見苦しくなるものであったりするなど、それぞれに欠点を有するものである。そして、市販の通常のシャツ等に容易に適用することができてしかも十分な効果の得られる、実用性に優れたシャツ等のずり上がり防止手段は、いまだに実現されていないのが実情である。
【０００３】
以下に先行技術文献情報を開示する。
【特許文献１】実公昭３６−００８４４０号公報
【特許文献２】実公昭３９−００００３０号公報
【特許文献３】実公昭４３−００４１６９号公報
【特許文献４】実公昭４３−０２２８０４号公報
【特許文献５】実公昭４３−０２９１２８号公報
【特許文献６】実公昭４４−００１０４９号公報
【特許文献７】実公昭４４−００３９３３号公報
【特許文献８】実公昭４４−０１６１６２号公報
【特許文献９】実公昭４５−００２１６６号公報
【特許文献１０】実開昭４７−００３９０７号公報
【特許文献１１】実開昭４７−００３９０８号公報
【特許文献１２】実開昭４７−０３２２１６号公報
【特許文献１３】実開昭４８−０２１８１２号公報
【特許文献１４】実開昭４８−０４５８０７号公報
【特許文献１５】実開昭４８−０９３１１５号公報
【特許文献１６】実開昭４８−１１１３２４号公報
【特許文献１７】実開昭４９−０４３１０５号公報
【特許文献１８】特開昭５０−１０６７３５号公報
【特許文献１９】実開昭５１−１５８８１３号公報
【特許文献２０】実開昭５３−０１３４１１号公報
【特許文献２１】実開昭５３−０６１２０８号公報
【特許文献２２】実開昭５３−０６１２０９号公報
【特許文献２３】実開昭５３−０９９２１０号公報
【特許文献２４】実開昭５３−１１３７０７号公報
【特許文献２５】実開昭５４−０５４４０９号公報
【特許文献２６】実開昭５４−１３７４０８号公報
【特許文献２７】実開昭５６−１７３６０１号公報
【特許文献２８】実開昭５７−０３５３０１号公報
【特許文献２９】実開昭５７−１６７７２３号公報
【特許文献３０】実開昭５７−１８５７０２号公報
【特許文献３１】実開昭５７−２０５２０２号公報
【特許文献３２】実開昭５８−１７２４０１号公報
【特許文献３３】実開昭６０−０４５３３２号公報
【特許文献３４】実開平０２−０２２３０２号公報
【特許文献３５】実開平０２−０７４３１９号公報
【特許文献３６】実開平０２−１３１５０４号公報
【特許文献３７】実開平０２−１４９７０１号公報
【特許文献３８】実開平０７−００９９０２号公報
【特許文献３９】実用新案登録第３０１５４０１号公報
【特許文献４０】実用新案登録第３０２２５５０号公報
【特許文献４１】実用新案登録第３０３３３４０号公報
【特許文献４２】特開平１０−１３０９０１号公報
【特許文献４３】特開平１０−２５９５１７号公報
【特許文献４４】実用新案登録第３０５７３５８号公報
【特許文献４５】実用新案登録第３０５７８８０号公報
【特許文献４６】実用新案登録第３０５７９８１号公報
【特許文献４７】実用新案登録第３０８５５７４号公報
【特許文献４８】特開２００４−０１９０４３号公報
【特許文献４９】特開２００５−２９９０５７号公報
【特許文献５０】特開２００６−０２２４５６号公報
【特許文献５１】特開２００６−２４１６４７号公報
【発明の開示】
【発明が解決しようとする課題】
【０００４】
本発明は、下衣のウエスト部の内側に入れておいたシャツ等の裾部がずり上がって下衣のウエスト部からはみ出したり、裾部を下衣のウエスト部の外側に出したままで着用していたシャツ等の裾部がずり上がって肌着や素肌が見えたりして見苦しくなるのを防止するためのシャツ等の裾部ずり上がり防止用具であって、シャツ等には何ら特別な取り付け用の手段を設ける必要がなく、またシャツ等に目立つ穴や傷をつけることなく、通常のシャツ等に対して容易に取り付けおよび取り外し可能であって、十分な裾部ずり上がり防止効果を有しており、しかもシャツ等の裾部近傍の部分に取り付けられている状態が見えてしまうことがあっても見苦しいことのない、実用性に優れたシャツ等の裾部ずり上がり防止用具を提供することを課題としてなされたものである。
【課題を解決するための手段】
【０００５】
本願の請求項１に係る発明は、ほぼ扁平な形状に形成された本体と、該本体をシャツ等の裾部近傍の部分に着脱自在に取り付け可能な取り付け手段とを少なくとも具備してなることを特徴とするシャツ等の裾部ずり上がり防止用具である。
【０００６】
本願の請求項２に係る発明は、前記本体および前記取り付け手段を含む全体の自重が５０ｇ以上２００ｇ以下であることを特徴とする請求項１に記載のシャツ等の裾部ずり上がり防止用具である。
【０００７】
本願の請求項３に係る発明は、前記取り付け手段は、シャツ等の裾部近傍の部分の外側の面にその内側の面の少なくとも一部をあてがうことができる様に形成された外側部と、該外側部の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された内側部とを少なくとも備える様に形成され、かつ、該外側部と内側部とが、該外側部の内側の面と内側部の外側の面との間隙に挟持したシャツ等の裾部近傍の部分をその厚み方向に圧縮する様な方向に、その外側部の内側の面とその内側部の外側の面とが互いに向かい合う方向に付勢された弾性体からなる挟持手段であることを特徴とする請求項１または請求項２に記載のシャツ等の裾部ずり上がり防止用具である。
【０００８】
本願の請求項４に係る発明は、前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成され、かつ、前記第１の部材の内側の面と自身の外側の面との間隙に挟持したシャツ等の裾部近傍の部分をその厚み方向に圧縮する様な方向に、その外側の面が前記第１の部材の内側の面に向かう方向に付勢された弾性体からなる第２の部材とからなる挟持手段であることを特徴とする請求項１または請求項２に記載のシャツ等の裾部ずり上がり防止用具である。
【０００９】
本願の請求項５に係る発明は、前記取り付け手段は、シャツ等の裾部近傍の部分の内側の面にその外側の面の少なくとも一部をあてがうことができる様に形成された第２の部材と、該第２の部材の外側の面と自身の内側の面との間隙にシャツ等の裾部近傍の部分を挟持することができる様に、シャツ等の裾部近傍の部分の外側の面にその内側の面の少なくとも一部をあてがうことができる様に形成され、かつ、前記第２の部材の外側の面と自身の内側の面との間隙に挟持したシャツ等の裾部近傍の部分をその厚み方向に圧縮する様な方向に、その内側の面が前記第２の部材の外側の面に向かう方向に付勢された弾性体からなる第１の部材とからなる挟持手段であることを特徴とする請求項１または請求項２に記載のシャツ等の裾部ずり上がり防止用具である。
【００１０】
本願の請求項６に係る発明は、前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された第２の部材と、該第１の部材と該第２の部材とを、該第１の部材の内側の面と該第２の部材の外側の面との間隙に挟持したシャツ等の裾部近傍の部分をその厚み方向に圧縮する様な方向に、該第１の部材の内側の面と該第２の部材の外側の面とが互いに向かい合う方向に付勢する弾性手段とからなる挟持手段であることを特徴とする請求項１または請求項２に記載のシャツ等の裾部ずり上がり防止用具である。
【００１１】
本願の請求項７に係る発明は、前記本体は、その内側の面の少なくとも一部をシャツ等の裾部近傍の部分の外側の面にあてがうことができる様に形成されており、一方、前記取り付け手段は、該本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成され、かつ、前記本体の内側の面と自身の外側の面との間隙に挟持したシャツ等の裾部近傍の部分をその厚み方向に圧縮する様な方向に、その外側の面が前記本体の内側の面に向かう方向に付勢された弾性体からなる挟持手段であることを特徴とする請求項１または請求項２に記載のシャツ等の裾部ずり上がり防止用具である。
【００１２】
本願の請求項８に係る発明は、前記本体は、その内側の面の少なくとも一部をシャツ等の裾部近傍の部分の外側の面にあてがうことができる様に形成されており、一方、前記取り付け手段は、該本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された挟持部材と、該本体と該挟持部材とを、該本体の内側の面と該挟持部材の外側の面との間隙に挟持したシャツ等の裾部近傍の部分をその厚み方向に圧縮する様な方向に、該本体の内側の面と該挟持部材の外側の面とが互いに向かい合う方向に付勢する弾性手段とからなる挟持手段であることを特徴とする請求項１または請求項２に記載のシャツ等の裾部ずり上がり防止用具である。
【００１３】
本願の請求項９に係る発明は、前記本体は、その内側の面の少なくとも一部をシャツ等の裾部近傍の部分の外側の面にあてがうことができる様に形成された表部を備えており、一方、前記取り付け手段は、該本体の表部の内側の面と自身の外側の面との間隙にシャツ等の裾部近傍の部分を挟持することができる様に、シャツ等の裾部近傍の部分の内側にその外側の面の少なくとも一部をあてがうことができる様に形成された挟持部材と、前記本体の表部と一体に形成された、該本体の表部と該挟持部材とを、該本体の表部の内側の面と該挟持部材の外側の面との間隙に挟持したシャツ等の裾部近傍の部分をその厚み方向に圧縮する様な方向に、該本体の表部の内側の面と該挟持部材の外側の面とが互いに向かい合う方向に付勢する本体の弾性結合部とからなる挟持手段であることを特徴とする請求項１または請求項２に記載のシャツ等の裾部ずり上がり防止用具である。
【００１４】
本願の請求項１０に係る発明は、前記本体は、その内側の面の少なくとも一部をシャツ等の裾部近傍の部分の外側の面にあてがうことができる様に形成された表部を備えており、一方、前記取り付け手段は、共に該本体の表部と一体に形成された、該本体の表部の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された本体の裏部と、該本体の表部と該本体の裏部とを、該本体の表部の内側の面と該本体の裏部の外側の面との間隙に挟持したシャツ等の裾部近傍の部分をその厚み方向に圧縮する様な方向に、該本体の表部の内側の面と該本体の裏部の外側の面とが互いに向かい合う方向に付勢する本体の弾性結合部とからなる挟持手段であることを特徴とする請求項１または請求項２に記載のシャツ等の裾部ずり上がり防止用具である。
【００１５】
本願の請求項１１に係る発明は、前記取り付け手段は、シャツ等の裾部近傍の部分に挿通可能な針と、該針の先端部近傍を挿脱自在に繋止可能な針先繋止手段とからなることを特徴とする請求項１または請求項２に記載のシャツ等の裾部ずり上がり防止用具である。
【００１６】
本願の請求項１２に係る発明は、前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された第２の部材とからなっており、かつ、該第１の部材と該第２の部材とは、該第１の部材の内側の面と該第２の部材の外側の面との間隙に挟持したシャツ等の裾部近傍の部分をその厚み方向に圧縮する様に、該第１の部材の内側の面と該第２の部材の外側の面とが互いに向かい合う方向に磁力によって吸着することができる様に、互いに吸着可能な永久磁石の対から形成されていることを特徴とする請求項１または請求項２に記載のシャツ等の裾部ずり上がり防止用具である。
【００１７】
本願の請求項１３に係る発明は、前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された第２の部材とからなっており、かつ、該第１の部材は永久磁石から形成されているとともに、該第２の部材は、該第１の部材の内側の面と該第２の部材の外側の面との間隙に挟持したシャツ等の裾部近傍の部分をその厚み方向に圧縮する様に、該第１の部材の内側の面と該第２の部材の外側の面とが互いに向かい合う方向に磁力によって吸着することができる様に、該第１の部材を形成する永久磁石の磁力によって容易に磁化されて吸着されることのできる永久磁石以外の磁性体から形成されていることを特徴とする請求項１または請求項２に記載のシャツ等の裾部ずり上がり防止用具である。
【００１８】
本願の請求項１４に係る発明は、前記取り付け手段は、シャツ等の裾部近傍の部分の外側の面にその内側の面の少なくとも一部をあてがうことができる様に形成された第１の部材と、該第１の部材の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された第２の部材とからなっており、かつ、該第２の部材は永久磁石から形成されているとともに、該第１の部材は、該第１の部材の内側の面と該第２の部材の外側の面との間隙に挟持したシャツ等の裾部近傍の部分をその厚み方向に圧縮する様に、該第１の部材の内側の面と該第２の部材の外側の面とが互いに向かい合う方向に磁力によって吸着することができる様に、該第２の部材を形成する永久磁石の磁力によって容易に磁化されて吸着されることのできる永久磁石以外の磁性体から形成されていることを特徴とする請求項１または請求項２に記載のシャツ等の裾部ずり上がり防止用具である。
【００１９】
本願の請求項１５に係る発明は、前記本体は、その内側の面の少なくとも一部をシャツ等の裾部近傍の部分の外側の面にあてがうことができる様に形成されているとともに、その全部または一部が永久磁石から形成されており、一方、前記取り付け手段は、前記本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成されており、かつ、前記本体の内側の面と自身の外側の面との間隙に挟持したシャツ等の裾部近傍の部分をその厚み方向に圧縮する様に、前記本体の内側の面と自身の外側の面とが互いに向かい合う方向に磁力によって吸着することができる様に、前記本体の全部または一部を形成している永久磁石と磁力により吸着可能な永久磁石から形成されている保持部材からなることを特徴とする請求項１または請求項２に記載のシャツ等の裾部ずり上がり防止用具である。
【００２０】
本願の請求項１６に係る発明は、前記本体は、その内側の面の少なくとも一部をシャツ等の裾部近傍の部分の外側の面にあてがうことができる様に形成されているとともに、その全部または一部が永久磁石から形成されており、一方、前記取り付け手段は、前記本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成されており、かつ、前記本体の内側の面と自身の外側の面との間隙に挟持したシャツ等の裾部近傍の部分をその厚み方向に圧縮する様に、前記本体の内側の面と自身の外側の面とが互いに向かい合う方向に磁力によって吸着することができる様に、前記本体の全部または一部を形成している永久磁石の磁力により容易に磁化されて吸着されることのできる永久磁石以外の磁性体から形成されている保持部材からなることを特徴とする請求項１または請求項２に記載のシャツ等の裾部ずり上がり防止用具である。
【００２１】
本願の請求項１７に係る発明は、前記本体は、その内側の面の少なくとも一部をシャツ等の裾部近傍の部分の外側の面にあてがうことができる様に形成されているとともに、その全部または一部が永久磁石の磁力により容易に磁化されて吸着されることのできる永久磁石以外の磁性体から形成されており、一方、前記取り付け手段は、前記本体の内側の面と自身の外側の面との間隙にシャツ等の裾部近傍の部分を挟持することができる様に、シャツ等の裾部近傍の部分の内側の面にその外側の面の少なくとも一部をあてがうことができる様に形成されており、かつ、前記本体の内側の面と自身の外側の面との間隙に挟持したシャツ等の裾部近傍の部分をその厚み方向に圧縮する様に、前記本体の内側の面と自身の外側の面とが互いに向かい合う方向に磁力によって吸着することができる様に、前記本体の全部または一部を形成している永久磁石以外の磁性体を自身の磁力により磁化して吸着することのできる永久磁石から形成されている保持部材からなることを特徴とする請求項１または請求項２に記載のシャツ等の裾部ずり上がり防止用具である。
【００２２】
本願の請求項１８に係る発明は、前記取り付け手段は、前記本体に対しては通常の使用の態様においては剥離することのない様に十分に強固に接着しており、かつ、シャツ等の裾部近傍の部分を構成する布地等に対しては、繰り返し貼着させたり剥離させたりすることができる程度の穏やかな接着力を有する感圧性接着剤からなることを特徴とする請求項１または請求項２に記載のシャツ等の裾部ずり上がり防止用具である。
【００２３】
本願の請求項１９に係る発明は、前記取り付け手段は、シャツ等の裾部近傍の部分を構成する布地等の繊維素材に対して繰り返し貼着させたり剥離させたりすることのできる、繊維素材に対して着脱自在に一時的な繋合を形成し得る微細な鉤状体が多数面内に形成された面ファスナーからなることを特徴とする請求項１または請求項２に記載のシャツ等の裾部ずり上がり防止用具である。
【００２４】
本願の請求項２０に係る発明は、前記本体の、前記取り付け手段によってシャツ等の裾部近傍の部分に取り付けた際に外側に現れる面に、塗装、金箔貼り、銀箔貼り、光沢フィルム貼り、金メッキ、銀メッキ、銅メッキ、ニッケルメッキおよびクロームメッキから選ばれる１種以上の表面加工および／またはシルク印刷、オフセット印刷、パッド印刷、インクジェット印刷、転写、箔押し、印刷シール貼り、装飾フィルム貼り、色さし、七宝、螺鈿、寄木、レーザー彫金、彫刻、刻印および象嵌から選ばれる１種以上の表面装飾加工が施されていることを特徴とする請求項１から請求項１９までのいずれか１項に記載のシャツ等の裾部ずり上がり防止用具である。
【発明の効果】
【００２５】
本願の請求項１に係る発明によれば、ほぼ扁平な形状に形成された本体と、該本体をシャツ等の裾部近傍の部分に着脱自在に取り付け可能な取り付け手段とを具備してなるので、この取り付け手段によってシャツ等の裾部近傍の部分に取り付けることによって、例えばワイシャツやＴシャツ、ブラウス等の様に、その裾部をズボンやスカート等の下衣のウエスト部の内側に入れて着用する習慣があるシャツ等の場合に、その裾部が体の動きによってずり上がって下衣のウエスト部からはみ出してだぶついて見苦しくなること、あるいは、例えばＴシャツ等の様に、その裾部をズボンやスカート等の下衣のウエスト部の外側に出したままで着用する習慣があるシャツ等の場合に、その裾部が風にあおられてめくれたりまたは体の動きによってずり上がってはだけて、下衣のウエスト部よりも上側の素肌や肌着が見えてしまって見苦しくなることを効果的に防止することができ、しかも、シャツ等の裾部を下衣のウエスト部の内側に入れて着用しても、本体はほぼ扁平な形状に形成されていることから、その部分の下衣を外側に著しく突出させて見苦しいこともなければ、シャツ等の裾部を下衣のウエスト部の外側に出したままで着用した場合等に、シャツ等の裾部近傍の部分に取り付けられている状態が見えてしまうことがあっても見苦しいこともない、極めて実用性に優れたシャツ等の裾部ずり上がり防止用具を提供することができる。
【００２６】
また、本願の請求項２に係る発明によれば、上記した本願の請求項１に係る発明の効果に加えて、本体および取り付け手段を含む全体としての自重を５０ｇ以上２００ｇ以下としたことにより、これを取り付けたシャツ等が不自然に突っ張ったり、取り付け手段の保持力が自重に抗し切れずに自然に外れて不用意に脱落してしまったりすることなく、上記したシャツ等の裾部ずり上がり効果が十分に得られるシャツ等の裾部ずり上がり防止用具を提供することができる。
【００２７】
また、本願の請求項３に係る発明によれば、上記した本願の請求項１または請求項２に係る発明の効果に加えて、その取り付け手段として請求項３所定の挟持手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００２８】
また、本願の請求項４に係る発明によれば、上記した本願の請求項１または請求項２に係る発明の効果に加えて、その取り付け手段として請求項４所定の挟持手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００２９】
また、本願の請求項５に係る発明によれば、上記した本願の請求項１または請求項２に係る発明の効果に加えて、その取り付け手段として請求項５所定の挟持手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３０】
また、本願の請求項６に係る発明によれば、上記した本願の請求項１または請求項２に係る発明の効果に加えて、その取り付け手段として請求項６所定の挟持手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３１】
また、本願の請求項７に係る発明によれば、上記した本願の請求項１または請求項２に係る発明の効果に加えて、その本体として請求項７所定の本体を、その取り付け手段として請求項７所定の挟持手段をそれぞれ採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３２】
また、本願の請求項８に係る発明によれば、上記した本願の請求項１または請求項２に係る発明の効果に加えて、その本体として請求項８所定の本体を、その取り付け手段として請求項８所定の挟持手段をそれぞれ採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３３】
また、本願の請求項９に係る発明によれば、上記した本願の請求項１または請求項２に係る発明の効果に加えて、その本体として請求項９所定の本体を、その取り付け手段として請求項９所定の挟持手段をそれぞれ採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３４】
また、本願の請求項１０に係る発明によれば、上記した本願の請求項１または請求項２に係る発明の効果に加えて、その本体として請求項１０所定の本体を、その取り付け手段として請求項１０所定の挟持手段をそれぞれ採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３５】
また、本願の請求項１１に係る発明によれば、上記した本願の請求項１または請求項２に係る発明の効果に加えて、その取り付け手段として請求項１１所定の針および針先繋止手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３６】
また、本願の請求項１２に係る発明によれば、上記した本願の請求項１または請求項２に係る発明の効果に加えて、その取り付け手段として請求項１２所定の磁性体から形成された取り付け手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３７】
また、本願の請求項１３に係る発明によれば、上記した本願の請求項１または請求項２に係る発明の効果に加えて、その取り付け手段として請求項１３所定の磁性体から形成された取り付け手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３８】
また、本願の請求項１４に係る発明によれば、上記した本願の請求項１または請求項２に係る発明の効果に加えて、その取り付け手段として請求項１４所定の磁性体から形成された取り付け手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００３９】
また、本願の請求項１５に係る発明によれば、上記した本願の請求項１または請求項２に係る発明の効果に加えて、その本体として請求項１５所定の本体を、その取り付け手段として請求項１５所定の磁性体から形成された取り付け手段をそれぞれ採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００４０】
また、本願の請求項１６に係る発明によれば、上記した本願の請求項１または請求項２に係る発明の効果に加えて、その本体として請求項１６所定の本体を、その取り付け手段として請求項１６所定の磁性体から形成された取り付け手段をそれぞれ採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００４１】
また、本願の請求項１７に係る発明によれば、上記した本願の請求項１または請求項２に係る発明の効果に加えて、その本体として請求項１７所定の本体を、その取り付け手段として請求項１７所定の磁性体から形成された取り付け手段をそれぞれ採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００４２】
また、本願の請求項１８に係る発明によれば、上記した本願の請求項１または請求項２に係る発明の効果に加えて、その取り付け手段として請求項１８所定の感圧性接着剤からなる取り付け手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００４３】
また、本願の請求項１９に係る発明によれば、上記した本願の請求項１または請求項２に係る発明の効果に加えて、その取り付け手段として請求項１９所定の面ファスナーからなる取り付け手段を採用したことにより、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を提供することができる。
【００４４】
また、本願の請求項２０に係る発明によれば、上記した本願の請求項１から請求項１９までのいずれか１項に係る発明の効果に加えて、その本体の、その取り付け手段によってシャツ等の裾部近傍の部分に取り付けた際に外側に現れる面に、塗装、金箔貼り、銀箔貼り、光沢フィルム貼り、金メッキ、銀メッキ、銅メッキ、ニッケルメッキおよびクロームメッキから選ばれる１種以上の表面加工および／またはシルク印刷、オフセット印刷、パッド印刷、インクジェット印刷、転写、箔押し、印刷シール貼り、装飾フィルム貼り、色さし、七宝、螺鈿、寄木、レーザー彫金、彫刻、刻印および象嵌から選ばれる１種以上の表面装飾加工が施されていることによって、本体の外側の面の外観意匠性が向上しており、これによって、例えばワイシャツやＴシャツ、ブラウス等の様に、その裾部をズボンやスカート等の下衣のウエスト部の内側に入れて着用する習慣があるシャツ等の場合に、その裾部が万一、設計者の想定を超える着用者の体の動き等によって、本発明のシャツ等の裾部ずり上がり防止用具を取り付けていたにもかかわらず結果的にずり上がってしまって下衣のウエスト部からはみ出してしまった場合や、あるいは、例えばＴシャツ等の様に、その裾部をズボンやスカート等の下衣のウエスト部の外側に出したままで着用する習慣があるシャツ等の場合であっても、本発明のシャツ等の裾部ずり上がり防止用具が見えてしまうこと自体によっては見苦しくなることがなく、むしろ、特に後者の場合には、着用者のアクセサリー、装身具としての機能を奏することも可能なシャツ等の裾部ずり上がり防止用具を提供することができる。
【００４５】
さらに、本願の各請求項に係る発明のシャツ等の裾部ずり上がり防止用具は、上述した様にシャツ等の裾部近傍の部分に取り付けてシャツ等の裾部がずり上がるのを防止する目的で使用するほか、各種の衣服の裾部や袖口部、ポケット口部等に取り付けるワンポイントアクセサリーないし装身具や、衣服とは無関係に単体として例えばメモ挟み、書類挟み、マネークリップ、カーテン等の吊下物や掲示物等の風めくれ防止用重し、裁縫時の生地等の固定具、袋や箱等の包装体や収納体の封止具等として幅広く使用することができる。
【発明を実施するための最良の形態】
【００４６】
本発明のシャツ等の裾部ずり上がり防止用具２は、例えば図１に示す様に、例えばワイシャツやＴシャツ、ブラウス等のシャツ等１の裾部近傍の部分１１に着脱自在に取り付けて使用されるものであって、シャツ等１の裾部をズボンやスカート等の下衣のウエスト部の内側に入れて着用する習慣がある場合には、その裾部が体の動きによってずり上がって下衣のウエスト部からはみ出してだぶついて見苦しくなるのを防止するために使用されるものであり、また、シャツ等１の裾部をズボンやスカート等の下衣のウエスト部の外側に出したままで着用する習慣がある場合には、その裾部が風にあおられてめくれたりまたは体の動きによってずり上がってはだけて、下衣のウエスト部よりも上側の素肌や肌着が見えてしまって見苦しくなるのを防止するために使用されるものである。このシャツ等の裾部ずり上がり防止用具２は、例えば図２に示す様に、シャツ等１の裾部近傍の部分１１の外側（本発明において「外側」および「内側」とは、シャツ等１の着用者の身体を基準として、衣服の外界側を「外側」、衣服の着用者の身体側を「内側」という。）の面に取り付けられる本体２１と、該本体２１をシャツ等１の裾部近傍の部分１１に、これに遠目に見ても目立つ様な大きな穴をあけたり大きな傷跡を残したりすることなく着脱自在に取り付けて、自重を支えて不用意に脱落しない様に固定するための取り付け手段（図２に示す例の場合は挟持手段２２）とを少なくとも備えている。本体２１は、金属、合成樹脂、木質材、無機質材等のいずれであってもこれらから選ばれる複数種の複合物であってもよく、シャツ等１の裾部近傍の部分１１の外側の面に取り付けた場合に、これをズボンやスカート等の下衣のウエスト部の内側に入れて着用しても、その部分が外側に向かって突出したりして見苦しくなることのない様に、望ましくは例えば平板状、薄箔状、反り板状、波板状、時計皿状、両凹レンズ状、平凹レンズ状、凸凹レンズ状、両凸レンズ状、平凸レンズ状、凹凸レンズ状またはこれらのいずれかに類似する形状等のほぼ扁平な形状に形成されている。また、この本体２１は、前述した取り付け手段によってシャツ等の裾部近傍の部分に取り付けた際に外側に現れる面に、例えばエナメル塗料、クリアー塗料、メタリック塗料等による塗装や、金箔貼り、銀箔貼り、光沢フィルム貼り等のラミネート、金メッキ、銀メッキ、銅メッキ、ニッケルメッキ、クロームメッキ等の光沢または無光沢金属メッキ等の表面加工、または例えばシルク印刷、オフセット印刷、パッド印刷、インクジェット印刷等の印刷や、転写、箔押し、印刷シール貼り、装飾フィルム貼り、色さし、七宝、螺鈿、寄木、レーザー彫金、彫刻、刻印、象嵌等の表面装飾加工が施されたものとすることができるものであり、そうすることによって装飾効果に優れ、これが外に見えていてもそれ自体としては見苦しくなく、むしろアクセサリーないし装身具としての効果を発揮することができるものである。さらに、この本体２１には、上記したシャツ等１の裾部近傍の部分１１への当該本体２１の取り付けのための取り付け手段の他にも、例えばキーホルダー等の他の物品の取り付け手段や、装飾または他の機能の付加のための付属品等が設けられていてもよい。そして、これらを含む全体として、本発明のシャツ等の裾部ずり上がり防止手段は、シャツ等の裾部近傍の部分に取り付けた際にシャツ等の裾部がずり上がって下衣のウエスト部からはみ出したりはだけたりするのを防止し得るに足りるだけの自重を少なくとも備えていることが重要である。その自重としては、本発明において特に限定されるものではないが一般的には、５０ｇ以上２００ｇ以下の程度の範囲内であることが望ましいものである。これが５０ｇ未満であっては、シャツ等１の裾部ずり上がり防止のための十分な効果を得ることが期待できず、一方２００ｇを越えたのであっては、これを取り付けたシャツ等１が過度に引っ張られて突っ張って不自然な外観を与えたり、身動きの邪魔になったり、或いはその自重に掛かる重力に取り付け手段の保持力が抗し切れずに不用意に脱落、落下してしまったりするおそれがあるため望ましくない。また、係る本発明のシャツ等のずり上がり防止用具は、複数個をシャツ等１の裾部近傍の部分１１の複数箇所に取り付けて使用することによって、さらにその効果を高めることも可能であり、例えば、腰周りの左右二箇所等に取り付けて使用すると、より効果的である。
【００４７】
本発明のシャツ等の裾部ずり上がり防止用具において、本体２１をシャツ等１の裾部近傍の部分１１に着脱自在に取り付けるための取り付け手段としては特に限定されるものではないが、例えば図２に示す様に、シャツ等１の裾部近傍の部分１１の外側の面にその内側の面の少なくとも一部をあてがうことができる様に形成された外側部２２Ａ１と、該外側部の内側の面と自身の外側の面との間隙にシャツ等の裾部近傍の部分を挟持することができる様に、シャツ等の裾部近傍の部分の内側の面にその外側の面の少なくとも一部をあてがうことができる様に形成された内側部２２Ａ２とを少なくとも備える様に形成され、かつ、該外側部２２Ａ１と内側部２２Ａ２とが、該外側部２２Ａ１の内側の面と内側部２２Ａ２の外側の面との間隙に挟持したシャツ等１の裾部近傍の部分１１をその厚み方向に圧縮する様な方向に、その外側部２２Ａ１の内側の面とその内側部２２Ａ２の外側の面とが互いに向かい合う方向に付勢された金属、ゴムまたは合成樹脂等の弾性体２２Ａからなる挟持手段２２を採用することができる。係る弾性体２２Ａからなる挟持手段２２としては、例えば金属板の折り曲げ加工により製造したものや、ゴムまたは合成樹脂の成形加工により製造したもの等を使用することができる。この挟持手段２２のシャツ等１の裾部近傍の部分１１の内側または外側の面にあてがわれる外側部２２Ａ１の内側の面および／または内側部２２Ａ２の外側の面には、例えば凹凸加工やゴム等による滑り止め加工が施されていてもよい。この様な挟持手段２２を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００４８】
また、本発明のシャツ等の裾部ずり上がり防止用具において、本体２１をシャツ等１の裾部近傍の部分１１に着脱自在に取り付けるための取り付け手段としては、例えば図３に示す様に、シャツ等１の裾部近傍の部分１１の外側の面にその内側の面の少なくとも一部をあてがうことができる様に形成された第１の部材２２Ｂと、該第１の部材２２Ｂの内側の面と自身の外側の面との間隙にシャツ等１の裾部近傍の部分１１を挟持することができる様に、シャツ等１の裾部近傍の部分１１の内側の面にその外側の面の少なくとも一部をあてがうことができる様に形成され、かつ、前記第１の部材２２Ｂの内側の面と自身の外側の面との間隙に挟持したシャツ等１の裾部近傍の部分１１をその厚み方向に圧縮する様な方向に、その外側の面が前記第１の部材２２Ｂの内側の面に向かう方向に付勢された金属、ゴムまたは合成樹脂等の弾性体からなる第２の部材２２Ｃとからなる挟持手段２２を採用することができる。係る弾性体からなる第２の部材２２Ｃとしては、例えば金属板の折り曲げ加工により製造したものや、ゴムまたは合成樹脂の成形加工により製造したもの等を使用することができる。この挟持手段２２のシャツ等１の裾部近傍の部分１１の外側または内側の面にあてがわれる第１の部材２２Ｂの内側の面および／または第２の部材２２Ｃの外側の面には、例えば凹凸加工やゴム等による滑り止め加工が施されていてもよい。この様な挟持手段２２を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００４９】
また、本発明のシャツ等の裾部ずり上がり防止用具において、本体２１をシャツ等１の裾部近傍の部分１１に着脱自在に取り付けるための取り付け手段としては、例えば図４に示す様に、シャツ等１の裾部近傍の部分１１の内側の面にその外側の面の少なくとも一部をあてがうことができる様に形成された第２の部材２２Ｅと、該第２の部材２２Ｅの外側の面と自身の内側の面との間隙にシャツ等１の裾部近傍の部分１１を挟持することができる様に、シャツ等１の裾部近傍の部分１１の外側の面にその内側の面の少なくとも一部をあてがうことができる様に形成され、かつ、前記第２の部材２２Ｅの外側の面と自身の内側の面との間隙に挟持したシャツ等の裾部近傍の部分をその厚み方向に圧縮する様な方向に、その内側の面が前記第２の部材２２Ｅの外側の面に向かう方向に付勢された金属、ゴムまたは合成樹脂等の弾性体からなる第１の部材２２Ｄとからなる挟持手段２２を採用することができる。係る弾性体からなる第１の部材２２Ｄとしては、例えば金属板の折り曲げ加工により製造したものや、ゴムまたは合成樹脂の成形加工により製造したもの等を使用することができる。この挟持手段２２のシャツ等１の裾部近傍の部分１１の外側または内側の面にあてがわれる第１の部材２２Ｄの内側の面および／または第２の部材２２Ｅの外側の面には、例えば凹凸加工やゴム等による滑り止め加工が施されていてもよい。この様な挟持手段２２を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５０】
また、本発明のシャツ等の裾部ずり上がり防止用具において、本体２１をシャツ等１の裾部近傍の部分１１に着脱自在に取り付けるための取り付け手段としては、例えば図５に示す様に、シャツ等１の裾部近傍の部分１１の外側の面にその内側の面の少なくとも一部をあてがうことができる様に形成された第１の部材２２Ｆと、該第１の部材２２Ｆの内側の面と自身の外側の面との間隙にシャツ等１の裾部近傍の部分１１を挟持することができる様に、シャツ等１の裾部近傍の部分１１の内側の面にその外側の面の少なくとも一部をあてがうことができる様に形成された第２の部材２２Ｇと、該第１の部材２２Ｆと該第２の部材２２Ｇとを、該第１の部材の内側の面２２Ｆと該第２の部材２２Ｇの外側の面との間隙に挟持したシャツ等１の裾部近傍の部分１１をその厚み方向に圧縮する様な方向に、該第１の部材２２Ｆの内側の面と該第２の部材２２Ｇの外側の面とが互いに向かい合う方向に付勢するバネまたはゴム等の弾性手段２２Ｈとからなる挟持手段２２を採用することができる。この挟持手段２２のシャツ等１の裾部近傍の部分１１の外側または内側の面にあてがわれる第１の部材２２Ｆの内側の面および／または第２の部材２２Ｇの外側の面には、例えば凹凸加工やゴム等による滑り止め加工が施されていてもよい。また、図５に示した例では、弾性手段２２Ｈとして弦巻バネが使用されているが、弾性手段２２Ｈはこれに限定されるものではなく、例えば板バネ、竹の子バネ、捻り棒バネ等の任意のバネや、ゴム、風船（エアークッション）等を使用することもできるし、また、前述した図２、図３または図４に示した例における、金属板の折り曲げ加工により製造したものや、ゴムまたは合成樹脂の成形加工により製造したものと同様のものを使用することもできる。なお、図５に示した例では、第１の部材２２Ｆと第２の部材２２Ｇとは相互に回動可能に軸支された構成となっているが、これに限定されるものではなく、例えば第１の部材２２Ｆと第２の部材２２Ｇとが弾性手段２２Ｈを介して接合された構成とされていてもよい。この様な挟持手段２２を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５１】
また、本発明のシャツ等の裾部ずり上がり防止用具においては、例えば図６に示す様に、本体２１として、その内側の面の少なくとも一部をシャツ等の裾部近傍の部分の外側の面にあてがうことができる様に形成されたものを採用するとともに、該本体２１をシャツ等１の裾部近傍の部分１１に着脱自在に取り付けるための取り付け手段として、該本体２１の内側の面と自身の外側の面との間隙にシャツ等１の裾部近傍の部分１１を挟持することができる様に、シャツ等１の裾部近傍の部分１１の内側の面にその外側の面の少なくとも一部をあてがうことができる様に形成され、かつ、前記本体２１の内側の面と自身の外側の面との間隙に挟持したシャツ等１の裾部近傍の部分１１をその厚み方向に圧縮する様な方向に、その外側の面が前記本体２１の内側の面に向かう方向に付勢された金属、ゴムまたは合成樹脂等の弾性体２２Ｉからなる挟持手段２２を採用することができる。係る弾性体２２Ｉからなる挟持手段２２としては、例えば金属板の折り曲げ加工により製造したものや、ゴムまたは合成樹脂の成形加工により製造したもの等を使用することができる。この本体２１のシャツ等１の裾部近傍の部分１１の外側の面にあてがわれる内側の面および挟持手段２２のシャツ等１の裾部近傍の部分１１の内側の面にあてがわれる外側の面には、例えば凹凸加工やゴム等による滑り止め加工が施されていてもよい。この様な本体２１を採用すると共にこの様な挟持手段２２を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５２】
また、本発明のシャツ等の裾部ずり上がり防止用具においては、例えば図７に示す様に、本体２１として、その内側の面の少なくとも一部をシャツ等の裾部近傍の部分の外側の面にあてがうことができる様に形成されたものを採用するとともに、該本体２１をシャツ等１の裾部近傍の部分１１に着脱自在に取り付けるための取り付け手段として、該本体２１の内側の面と自身の外側の面との間隙にシャツ等１の裾部近傍の部分１１を挟持することができる様に、シャツ等１の裾部近傍の部分１１の内側の面にその外側の面の少なくとも一部をあてがうことができる様に形成された挟持部材２２Ｊと、該本体２１と該挟持部材２２Ｊとを、該本体２１の内側の面と該挟持部材２２Ｊの外側の面との間隙に挟持したシャツ等１の裾部近傍の部分１１をその厚み方向に圧縮する様な方向に、該本体２１の内側の面と該挟持部材２２Ｊの外側の面とが互いに向かい合う方向に付勢するバネまたはゴム等の弾性手段２２Ｋとからなる挟持手段２２を採用することができる。この本体２１のシャツ等１の裾部近傍の部分１１の外側の面にあてがわれる内側の面および挟持部材２２Ｊのシャツ等１の裾部近傍の部分１１の内側の面にあてがわれる外側の面には、例えば凹凸加工やゴム等による滑り止め加工が施されていてもよい。また、図７に示した例では、弾性手段２２Ｋとして弦巻バネが使用されているが、弾性手段２２Ｋはこれに限定されるものではなく、例えば板バネ、竹の子バネ、捻り棒バネ等の任意のバネや、ゴム、風船（エアークッション）等を使用することもできるし、また、前述した図２、図３、図４または図６に示した例における、金属板の折り曲げ加工により製造したものや、ゴムまたは合成樹脂の成形加工により製造したものと同様のものを使用することもできる。なお、図７に示した例では、本体２１と挟持部材２２Ｊとは相互に回動可能に軸支された構成となっているが、これに限定されるものではなく、例えば本体２１と挟持部材２２Ｊとが弾性手段２２Ｋを介して接合された構成とされていてもよい。この様な本体２１を採用すると共にこの様な挟持手段２２を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５３】
また、本発明のシャツ等の裾部ずり上がり防止用具においては、例えば図８に示す様に、本体２１として、その内側の面の少なくとも一部をシャツ等１の裾部近傍の部分１１の外側の面にあてがうことができる様に形成された表部２１Ａと、当該本体の表部２１の内側の面と後述する挟持部材２２Ｌの外側の面との間隙に挟持したシャツ等１の裾部近傍の部分１１をその厚み方向に圧縮する様な方向に、該本体の表部２１の内側の面と該挟持部材２２Ｌの外側の面とが互いに向かい合う方向に付勢する本体の弾性結合部２１Ｂとを備えてなるものを採用するとともに、該本体２１をシャツ等１の裾部近傍の部分１１に着脱自在に取り付けるための取り付け手段として、該本体の表部２１Ａと自身の外側の面との間隙にシャツ等１の裾部近傍の部分１１を挟持することができる様に、シャツ等１の裾部近傍の部分１１の内側にその外側の面の少なくとも一部をあてがうことができる様に形成された挟持部材２２Ｌと、前述した本体の弾性結合部２１Ｂとからなる挟持手段を採用することができる。この様な本体２１としては、例えば金属、合成樹脂またはゴム等の連続した一個の弾性材料を分断することなく加工または成形して本体の表部２１Ａ部分（本体の表部２１Ａが複数の材質の複合体である場合には本体の表部２１Ａの一部に相当する部分であってもよい）と弾性結合部２１Ｂ部分とを形成したもの等を採用することができる。この本体の表部２１Ａのシャツ等１の裾部近傍の部分１１の外側の面にあてがわれる内側の面および挟持部材２２Ｌのシャツ等１の裾部近傍の部分１１の内側の面にあてがわれる外側の面には、例えば凹凸加工やゴム等による滑り止め加工が施されていてもよい。この様な本体２１を採用すると共にこの様な挟持手段を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５４】
また、本発明のシャツ等の裾部ずり上がり防止用具においては、例えば図９に示す様に、本体２１として、その内側の面の少なくとも一部をシャツ等１の裾部近傍の部分１１の外側の面にあてがうことができる様に形成された表部２１Ａと、後述する弾性結合部２１Ｂおよび裏部２１Ｃとを備えてなるものを採用するとともに、該本体２１をシャツ等１の裾部近傍の部分１１に着脱自在に取り付けるための取り付け手段として、前記本体の表部２１Ａと一体に形成された、該本体の表部２１Ａと後述する本体の裏部２１Ｃとを、該本体の表部２１Ａの内側の面と該本体の裏部２１Ｃの外側の面との間隙に挟持したシャツ等１の裾部近傍の部分１１をその厚み方向に圧縮する様な方向に、該本体の表部２１Ａの内側の面と該本体の裏部２１Ｃの外側の面とが互いに向かい合う方向に付勢する本体の弾性結合部２１Ｂと、該本体の弾性結合部２１Ｂを介して前記本体の表部２１Ａと一体に形成された、該本体の表部２１Ａの内側の面と自身の外側の面との間隙にシャツ等１の裾部近傍の部分１１を挟持することができる様に、シャツ等１の裾部近傍の部分１１の内側の面にその外側の面の少なくとも一部をあてがうことができる様に形成された本体の裏部２１Ｃとからなる挟持手段を採用することができる。この様な本体２１としては、例えば金属、合成樹脂またはゴム等の連続した一個の弾性材料を分断することなく加工または成形して本体の表部２１Ａ部分（本体の表部２１Ａが複数の材質の複合体である場合には本体の表部２１Ａの一部に相当する部分であってもよい）、弾性結合部２１Ｂ部分および本体の裏部２１Ｃ部分（本体の裏部２１Ｃが複数の材質の複合体である場合には本体の裏部２１Ｃの一部に相当する部分であってもよい）を形成したもの等を採用することができる。この本体の表部２１Ａのシャツ等１の裾部近傍の部分１１の外側の面にあてがわれる内側の面および本体の裏部２１Ｃのシャツ等１の裾部近傍の部分１１の内側の面にあてがわれる外側の面には、例えば凹凸加工やゴム等による滑り止め加工が施されていてもよい。この様な本体２１を採用すると共にこの様な挟持手段を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５５】
また、本発明のシャツ等の裾部ずり上がり防止用具において、本体２１をシャツ等１の裾部近傍の部分１１に着脱自在に取り付けるための取り付け手段としては、例えば図１０に示す様に、シャツ等１の裾部近傍の部分１１に遠目に見ても目立つ様な大きな穴をあけることなく挿通できる様に形成された針２３Ａと、該針２３Ａの先端部近傍を挿脱可能に繋止することによって該針２３Ａが挿通したシャツ等１の裾部近傍の部分１１から不用意に脱落するのを防ぐための針先繋止手段２３Ｂとからなる取り付け手段２３を採用することができる。この様な取り付け手段２３としては、いわゆる安全ピンとして周知のものを採用することが可能であり、別途の取り付け金具または接着剤等を使用した常法によって本体２１に接合される。この様な取り付け手段２３を採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５６】
また、本発明のシャツ等の裾部ずり上がり防止用具において、本体２１をシャツ等１の裾部近傍の部分１１に着脱自在に取り付けるための取り付け手段としては、例えば図１１に示す様に、シャツ等１の裾部近傍の部分１１の外側の面にその内側の面の少なくとも一部をあてがうことができる様に形成された第１の部材２４Ａと、該第１の部材２４Ａの内側の面と自身の外側の面との間隙にシャツ等１の裾部近傍の部分１１を挟持することができる様に、シャツ等１の裾部近傍の部分１１の内側の面にその外側の面の少なくとも一部をあてがうことができる様に形成された第２の部材２４Ｂとからなっており、かつ、該第１の部材２４Ａと該第２の部材２４Ｂとは、該第１の部材２４Ａの内側の面と該第２の部材２４Ｂの外側の面との間隙に挟持したシャツ等１の裾部近傍の部分１１をその厚み方向に圧縮する様に、該第１の部材２４Ａの内側の面と該第２の部材２４Ｂの外側の面とが互いに向かい合う方向に磁力によって吸着することができる様に、少なくとも一方が永久磁石から形成されており、他方が永久磁石から形成されていない場合には当該他方は永久磁石の磁力によって容易に磁化されて吸着されることのできる磁性体から形成されている取り付け手段２４を採用することができる。この第１の部材２４Ａと第２の部材２４Ｂとは、それが永久磁石である場合にはその状態で、それが永久磁石以外の磁性体である場合には永久磁石からなる他方の部材によって磁化された状態で、その相対する面に一方にはＮ極、他方にはＳ極が現れる様にしても良いが、その相対する面に一方にはＮ極およびＳ極が、他方にはＳ極およびＮ極が、それぞれ相対する箇所に現れるようにして、両者を吸着させた場合に閉じた磁気回路が形成される様にすると、永久磁石の劣化が少なく耐久性に優れるので望ましい。この第１の部材２４Ａと第２の部材２４Ｂとは、互いに結合されていなくてもよいし、必要に応じて適宜の糸、紐、鎖、帯、蝶番、ヒンジ等によって互いに結合されていてもよい。この様な取り付け手段２４を採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５７】
また、本発明のシャツ等の裾部ずり上がり防止用具においては、例えば図１２に示す様に、本体２１として、その内側の面の少なくとも一部をシャツ等１の裾部近傍の部分１１の外側の面にあてがうことができる様に形成されているとともに、その全部または一部が永久磁石または永久磁石の磁力により容易に磁化されて吸着されることのできる永久磁石以外の磁性体から形成されたものを採用するとともに、該本体２１をシャツ等１の裾部近傍の部分１１に着脱自在に取り付けるための取り付け手段として、前記本体２１の内側の面と自身の外側の面との間隙にシャツ等１の裾部近傍の部分１１を挟持することができる様に、シャツ等１の裾部近傍の部分１１の内側の面にその外側の面の少なくとも一部をあてがうことができる様に形成されており、かつ、前記本体２１の内側の面と自身の外側の面との間隙に挟持したシャツ等１の裾部近傍の部分１１をその厚み方向に圧縮する様に、前記本体２１の内側の面と自身の外側の面とが互いに向かい合う方向に磁力によって吸着することができる様に、前記本体２１の全部もしくは一部が永久磁石から形成されている場合にはこれと磁力により吸着可能な永久磁石または前記本体２１の全部もしくは一部を形成する永久磁石の磁力により容易に磁化されて吸着されることのできる永久磁石以外の磁性体から形成されており、そうでない場合には前記本体２１の全部もしくは一部を形成する永久磁石以外の磁性体を自身の磁力により磁化して吸着することのできる永久磁石から形成されている保持部材２４Ｃからなる取り付け手段２４を採用することができる。この本体２１の全部または一部と保持部材２４Ｃとは、それが永久磁石である場合にはその状態で、それが永久磁石以外の磁性体である場合には永久磁石からなる他方によって磁化された状態で、その相対する面に一方にはＮ極、他方にはＳ極が現れる様にしても良いが、その相対する面に一方にはＮ極およびＳ極が、他方にはＳ極およびＮ極が、それぞれ相対する箇所に現れるようにして、両者を吸着させた場合に閉じた磁気回路が形成される様にすると、永久磁石の劣化が少なく耐久性に優れるので望ましい。この本体２１と取り付け手段２４とは、互いに結合されていなくてもよいし、必要に応じて適宜の糸、紐、鎖、帯、蝶番、ヒンジ等によって互いに結合されていてもよい。この様な本体２１および取り付け手段２４を採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５８】
また、本発明のシャツ等の裾部ずり上がり防止用具において、本体２１をシャツ等１の裾部近傍の部分１１に着脱自在に取り付けるための取り付け手段としては、例えば図１３に示す様に、前記本体２１に対しては通常の使用の態様においては剥離することのない様に十分に強固に接着しており、かつ、シャツ等１の裾部近傍の部分１１を構成する布地等に対しては、繰り返し貼着させたり剥離させたりすることができる程度の穏やかな接着力を有する感圧性接着剤２５からなる取り付け手段を採用することができる。係る感圧性接着剤２５としては、例えば周知の粘着剤や両面粘着テープ等を採用することができる。この感圧性接着剤２５として布地等に対して繰り返し貼着させたり剥離させたりすることができる程度の穏やかな接着力を有するものを採用しながら、本体２１に対しては通常の使用の態様においては剥離することのない様に十分に強固に接着させるためには、例えば、本体２１に感圧性接着剤２５を設ける際に本体２１の表面にプライマー処理等の表面処理を施しておく方法や、感圧性接着剤２５として本体２１の表面を構成する材質と反応性を有する硬化剤を含む硬化型感圧性接着剤を使用する方法、本体２１と感圧性接着剤２５との間に両者のいずれとも強固に接着する接着剤または強粘着型感圧性接着剤の層を介在させる方法等を採用することもできる。この様な感圧性接着剤２５を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【００５９】
また、本発明のシャツ等の裾部ずり上がり防止用具において、本体２１をシャツ等１の裾部近傍の部分１１に着脱自在に取り付けるための取り付け手段としては、例えば図１４に示す様に、シャツ等１の裾部近傍の部分１１を構成する布地等の繊維素材に対して繰り返し貼着させたり剥離させたりすることのできる、繊維素材に対して着脱自在に一時的な繋合を形成し得る微細な鉤状体２６Ｂが多数面内に形成された面ファスナー２６を採用することができる。この面ファスナー２６としては、例えば「マジックテープ（登録商標）」として市販されているものと同様のものを採用することができる。但し、この「マジックテープ（登録商標）」は、基布２６Ａの表面に鉤状体２６Ｂが多数密植れた雄型と、基布の表面に該鉤状体２６Ｂと繋合し得る環状体が多数密植された雌型とを対にして使用するものであるが、本発明に使用する面ファスナーはその雄型に相当するもののみを使用する。また、この場合の雌型に相当するものはシャツ等１の裾部近傍の部分１１を構成する布地等の繊維素材であるが、これには「マジックテープ（登録商標）」の環状体に相当する様な明瞭な環状体は存在せず、布地等を構成する糸の繊維の絡まり合いが存在するだけであるから、面ファスナー２６としては、係る糸の繊維の絡まり合いに対しても容易に繋合を形成し得るような極めて微細な鉤状体が極めて密に植え付けられたものを使用する必要がある。この様な面ファスナー２６を取り付け手段として採用することによって、簡単な構造で容易且つ安価に製造可能であり、何ら特別な取り付け用の手段等を備えていない通常のシャツ等の裾部近傍の部分に目立つ穴や傷を付けることなく容易に取り付けおよび取り外し可能であり、しかも通常の使用の態様においては不用意に外れてしまうことのない十分な保持力を容易に発現し、上記したシャツ等の裾部ずり上がり効果が十分に得られるシャツ等の裾部ずり上がり防止用具を容易に得ることができる。
【図面の簡単な説明】
【００６０】
【図１】本発明のシャツ等の裾部ずり上がり防止用具をシャツ等の裾部近傍に取り付けた状態を示す模式図である。
【図２】本発明のシャツ等の裾部ずり上がり防止用具の実施の形態の一例を示す模式側断面図である。
【図３】本発明のシャツ等の裾部ずり上がり防止用具の実施の形態の一例を示す模式側断面図である。
【図４】本発明のシャツ等の裾部ずり上がり防止用具の実施の形態の一例を示す模式側断面図である。
【図５】本発明のシャツ等の裾部ずり上がり防止用具の実施の形態の一例を示す模式側断面図である。
【図６】本発明のシャツ等の裾部ずり上がり防止用具の実施の形態の一例を示す模式側断面図である。
【図７】本発明のシャツ等の裾部ずり上がり防止用具の実施の形態の一例を示す模式側断面図である。
【図８】本発明のシャツ等の裾部ずり上がり防止用具の実施の形態の一例を示す模式平面断面図である。
【図９】本発明のシャツ等の裾部ずり上がり防止用具の実施の形態の一例を示す模式側断面図である。
【図１０】本発明のシャツ等の裾部ずり上がり防止用具の実施の形態の一例を示す模式側断面図である。
【図１１】本発明のシャツ等の裾部ずり上がり防止用具の実施の形態の一例を示す模式側断面図である。
【図１２】本発明のシャツ等の裾部ずり上がり防止用具の実施の形態の一例を示す模式側断面図である。
【図１３】本発明のシャツ等の裾部ずり上がり防止用具の実施の形態の一例を示す模式側断面図である。
【図１４】本発明のシャツ等の裾部ずり上がり防止用具の実施の形態の一例を示す模式側断面図である。
【符号の説明】
【００６１】
１‥‥‥‥‥‥‥シャツ等
１１‥‥‥‥‥‥シャツ等の裾部近傍の部分
２‥‥‥‥‥‥‥シャツ等の裾部ずり上がり防止用具
２１‥‥‥‥‥‥本体
２１Ａ‥‥‥‥‥表部
２１Ｂ‥‥‥‥‥弾性結合部
２１Ｃ‥‥‥‥‥裏部
２２‥‥‥‥‥‥挟持手段
２２Ａ‥‥‥‥‥弾性体
２２Ａ１‥‥‥‥外側部
２２Ａ２‥‥‥‥内側部
２２Ｂ‥‥‥‥‥第１の部材
２２Ｃ‥‥‥‥‥第２の部材
２２Ｄ‥‥‥‥‥第１の部材
２２Ｅ‥‥‥‥‥第２の部材
２２Ｆ‥‥‥‥‥第１の部材
２２Ｇ‥‥‥‥‥第２の部材
２２Ｈ‥‥‥‥‥弾性手段
２２Ｉ‥‥‥‥‥弾性体
２２Ｊ‥‥‥‥‥挟持部材
２２Ｋ‥‥‥‥‥弾性手段
２２Ｌ‥‥‥‥‥挟持部材
２３‥‥‥‥‥‥取り付け手段
２３Ａ‥‥‥‥‥針
２３Ｂ‥‥‥‥‥針先繋止手段
２４‥‥‥‥‥‥取り付け手段
２４Ａ‥‥‥‥‥第１の部材
２４Ｂ‥‥‥‥‥第２の部材
２４Ｃ‥‥‥‥‥保持部材
２５‥‥‥‥‥‥感圧性接着剤
２６‥‥‥‥‥‥面ファスナー
２６Ａ‥‥‥‥‥基布
２６Ｂ‥‥‥‥‥鉤状体
【図１】
2008115484.tif 000003
【図２】
2008115484.tif 000004
【図３】
2008115484.tif 000005
【図４】
2008115484.tif 000006
【図５】
2008115484.tif 000007
【図６】
2008115484.tif 000008
【図７】
2008115484.tif 000009
【図８】
2008115484.tif 000010
【図９】
2008115484.tif 000011
【図１０】
2008115484.tif 000012
【図１１】
2008115484.tif 000013
【図１２】
2008115484.tif 000014
【図１３】
2008115484.tif 000015
【図１４】
2008115484.tif 000016